(57)【特許請求の範囲】
【請求項１】
燃料を燃焼させる燃焼部と、前記燃焼部の燃焼状態を検知する燃焼センサーと、この燃焼センサーからの出力が異常か否かを判定するリセットオチ判定部と、室温と設定温度に基づいて燃焼量を制御する燃焼量制御部と、リセットオチ時の燃焼量制御部からの出力を判断する燃焼レベル判断部と、上記リセットオチ判断部からの出力に基づいて燃焼制御部から燃焼停止出力が出されると、これを確認して記憶しているリセット記憶部と、リセット記憶部のリセット回数を判定するリセット回数判定部と、リセット回数判定部からのリセット回数出力と上記燃焼レベル判断部からの出力に基づいてリセットオチ原因を特定し、その原因別のリセット表示を表示部に行わせる表示制御部とからなる燃焼制御装置。
【発明の詳細な説明】
【０００１】
【発明の属する技術分野】
本発明は石油温風暖房機などに用いる燃焼制御装置に関するものである。
【０００２】
【従来の技術】
一般に、この種の石油温風暖房機は、図５、図６に示すように構成されている。図５、図６において、液体燃料を貯留する固定タンク１の上部に着脱自在なカートリッジタンク２が配設してある。上記固定タンク１の上面にはポンプ３が配設してあり、上記ポンプ３から液体燃料が燃焼部４へ供給されるように構成してある。
【０００３】
この燃焼部４で生じる燃焼排ガスは燃焼筒５によって上方へ案内されている。また、燃焼部４にはその燃焼炎中に入れた電極間に電流を流してその量を測定することにより燃焼状態を検知するフレームロッド方式の燃焼センサー６が設けてある。又、上記燃焼筒５はダクト７で覆われ、後方に配設した対流用送風機８からの室内空気流と上述の燃焼排ガスとを混合して温風にするようになっている。
【０００４】
図７は、このような石油温風暖房機に用いられている従来の燃焼制御装置を示し、この燃焼制御装置は上記燃焼センサー６により検知されたフレームロッド出力（以下ＦＲ出力と称す）のレベルをリセットオチ判断部９で判断し、そのＦＲ出力レベルが異常の場合は燃焼制御部１０が燃焼部４の燃焼を停止（以下リセットオチと称す）させるようになっている。そして、上記燃焼制御部１０は表示制御部１４に出力を送り、表示部１２に異常内容を表示させるようになっていた。
【０００５】
【発明が解決しようとする課題】
しかしながら上記のような構成では、表示部１２で異常内容を表示させるための条件が燃焼制御部１０からの信号のみであり、リセットオチの原因が、例えば酸欠によるものであっても、あるいはフレームロッド異常であっても同一のリセットオチとして判断してしまい、同一のリセット番号を表示してしまう。そのため、例えばフレームロッド異常でリセットオチした場合でも、ユーザーは酸欠によるものと勘違いして換気をするといった対処をするが、その後再び燃焼させた場合、再度同じリセット番号でリセットオチしてしまうため、対処方法が判らず石油温風暖房機の故障診断が困難であるという課題を有していた。
【０００６】
本発明はかかる従来の課題を解消するもので、リセットオチの回数とリセットオチ時の燃焼レベルに応じてリセットオチの原因を特定し、その原因別に異常内容を表示することにより故障診断を容易にすることを目的としたものである。
【０００７】
【課題を解決するための手段】
本発明は上記課題を達成するため、燃焼センサーからの出力を判断してリセットオチを判定するリセットオチ判断部と、このリセットオチ判断部からの出力でリセット回数を記憶するリセット記憶部を設け、このリセットオチ記憶部に記憶されたリセット回数とリセットオチ時の燃焼レベルからリセットオチの原因を特定し、その原因別に異常内容を表示部に行わせる表示制御部を備えた構成としている。
【０００８】
【発明の実施の形態】
本発明は、燃料を燃焼させる燃焼部と、前記燃焼部の燃焼状態を検知する燃焼センサーと、この燃焼センサーからの出力が異常か否かを判定するリセットオチ判定部と、室温と設定温度に基づいて燃焼量を制御する燃焼量制御部と、リセットオチ時の燃焼量制御部からの出力を判断する燃焼レベル判断部と、上記リセットオチ判断部からの出力に基づいて燃焼制御部から燃焼停止出力が出されると、これを確認して記憶しているリセット記憶部と、リセット記憶部のリセット回数を判定するリセット回数判定部と、リセット回数判定部からのリセット回数出力と上記燃焼レベル判断部からの出力に基づいてリセットオチ原因を特定し、その原因別のリセット表示を表示部に行わせる表示制御部とから構成してある。
【０００９】
そして、上記構成によって、まずリセットオチの回数で原因を特定し表示することができるので、例えば、酸欠によるものか、それ以外のフレームロッドの異常によるものかの区別を明確にすることができ、さらにフレームロッドの異常に関しては、ＦＲにシリコンが付着している状態や、燃焼レベルが中レベルの時に生じやすい異常、すなわち燃焼通路先端部のノズルに吐出されない液体燃料が残っていてそれが滴下して生じる黄火でＦＲ出力が落ちるといったボタオチや、フィルターにゴミ等が詰まってポンプの流量が減りＦＲ出力が落ちるといったポンプの目詰まりによるリセットオチをリセットオチ時の燃焼レベルで判断することにより、さらにそのリセットオチの原因を特定し易くなり、細分化した表示ができ、故障診断が容易になる。
【００１０】
【実施例】
以下、本発明の一実施例を添付図面に基づいて説明する。図１において、６は燃焼センサー、９は燃焼センサー６からの出力異常、例えば酸欠レベル以下か否かを判断するリセットオチ判断部、１０はリセットオチ判断部９からの出力に応じて燃焼を制御する燃焼制御部、４は燃焼制御部１０からの出力に応じて燃焼、停止を行う燃焼部、１２は上記リセットオチ判断部９からの異常出力に基づいて燃焼制御部１０から出力されるリセットオチ信号の回数を記憶しておくリセット記憶部（ただし、コンセントが抜かれた場合には記憶していた回数はクリアされるように構成してある）、１３はリセット記憶部１２で記憶した回数を判断するリセット回数判定部、１４はリセット回数判定部１３からの出力に応じた表示の制御を行う表示制御部、１５は表示制御部１４からの出力に応じて表示される表示部である。
【００１１】
上記構成において、以下その動作を図２のフローチャートを用いて説明する。まず、ステップ１９で運転スイッチのＯＮを確認すると燃焼が開始され、ステップ２０で酸欠検知しない期間であるか否かを判定し、その期間を過ぎていれば、ステップ２１で燃焼センサー６からのＦＲ出力が酸欠レベル以下か否かを判定し、以下でなければ燃焼継続を指示する。すなわち、ステップ２１から再度ステップ２０に戻って、運転スイッチがＯＦＦしていなければ、上記動作を繰り返して燃焼を継続する。
【００１２】
一方、ステップ２１でＦＲ出力が酸欠レベル以下であれば、ステップ２２でその期間が１０秒以上であるか否かを判定し、１０秒以上であれば、ＦＲ異常とみなしステップ２３でこれを記憶していく。１０秒未満の時は燃焼継続を指示し、ステップ１９に戻る。そして次に、この記憶した回数をステップ２４で判断する。
【００１３】
ここで、回数が１回であれば酸欠であるとの判断をして、ステップ２５で酸欠検知用の表示を行う指示をし、２回目であれば酸欠ではなくフレームロッド（ＦＲ）異常であるとの判断をし、ステップ２６でＦＲ異常用の表示を表示部１５で行う指示をする。
【００１４】
すなわち、本発明では、ＦＲ出力が酸欠レベル以下となる回数をカウントし、その回数により酸欠でリセットオチしたのか、ＦＲ異常でリセットオチしたのかを判断してリセット番号の表示を変えて燃焼を停止させるようになっており、ユーザーにリセットオチ時の対処方法を的確に伝えることができる。
【００１５】
次に、図３において、１６は室温を検知する室温検出部、１６Ａは温度を設定するための室温設定部、１７は上記室温検出部１６と室温設定部１６Ａからの出力に応じて燃焼量を定める燃焼量制御部、１０は燃焼量制御部１７とリセットオチ判断部９からの出力に応じて燃焼を制御する燃焼制御部、１８は前記燃焼量制御部１７からの出力によりリセットオチ時の燃焼レベルを判断する燃焼レベル判断部、１４はリセット回数判定部１３と上記燃焼レベル判断部１８からの出力により表示を制御する表示制御部である。
【００１６】
上記構成において、以下その動作を図４のフローチャートを用いて説明する。まず、ステップ１９からステップ２３までは上記図２のフローチャートと同様の動作をする。そして、ステップ２４でＦＲ異常回数を判定し、１回であれば酸欠であると判断し、ステップ２５で酸欠検知用の表示を表示部１５で行う指示をし、２回であれば、ＦＲ異常であるという判断をし、更にＦＲ異常のうちでも原因を特定するためステップ２７でリセットオチ時の燃焼レベルが、例えば強レベルか否かを判定する。強レベルであれば、例えばシリコンが原因のリセットオチであると判断し、ステップ２８でシリコン用の表示を表示部１５で行う指示をする。強レベルでなければ、ステップ２９で中レベルか否かを判断し、中レベルであればボタオチが原因のリセットオチであると判断し、ステップ３０でボタオチ用の表示を表示部１５で行う指示をする。中レベルでなければ、ステップ３１でポンプの目詰まりが原因のリセットオチであると判断し、ポンプ目詰まり用の表示を表示部１５で行う指示をする。そして、燃焼を停止させる。
【００１７】
従って、本発明では、ＦＲ異常でのリセットオチの場合において、その原因がシリコンであるのか、ボタオチであるのか、ポンプの目詰まりなのかを特定し易くなり、石油温風暖房機の故障診断が更に容易になる。
【００１８】
【発明の効果】
以上のように本発明の燃焼制御装置は、リセットオチの回数とリセットオチ時の燃焼レベルに応じてリセットオチの原因を特定し、その原因別に異常内容を表示するようにしているため、原因が明確に把握でき、故障診断を容易に行うことができるとともに、ユーザーに対処方法を的確に伝えることができる。
【図面の簡単な説明】
【図１】本発明の一実施例における燃焼制御装置のブロック図
【図２】同制御装置のフローチャート
【図３】同他の実施例における燃焼制御装置のブロック図
【図４】同制御装置のフローチャート
【図５】本発明及び従来の燃焼制御装置を用いた温風暖房機の断面図
【図６】同温風暖房機の一部欠裁正面図
【図７】従来の温風暖房機の制御装置を示すブロック図
【符号の説明】
４  燃焼部
６  燃焼センサー
９  リセットオチ判断部
１０  燃焼制御部
１２  リセット記憶部
１３  リセット回数判定部
１４  表示制御部
１５  表示部
１６  室温検出部
１６Ａ  室温設定部
１７  燃焼量制御部
１８  燃焼レベル判断部
【図１】
0003608523.tif 000002
【図２】
0003608523.tif 000003
【図３】
0003608523.tif 000004
【図４】
0003608523.tif 000005
【図５】
0003608523.tif 000006
【図６】
0003608523.tif 000007
【図７】
0003608523.tif 000008